(57)【要約】      （修正有）【課題】三つずつの広告構成面を有する三角柱が回転伝達手段により回転することによって、各々の広告構成面が順次に組み合わせられ、多数の完成された広告画面をディスプレイすることのできる回転広告装置を提供する。【解決手段】回転広告装置は、３６０°の全周で広告画面が認知できるハウジングを備えており、その内部で回転する六個の広告フレーム１０、２０、３０、４０、５０、６０により、多様な種類の広告画面を組み合わせながらディスプレイする。したがって、従来のトライビジョンに代表される回転広告装置に比べて、３６０°いずれの方向でも広告画面を認知できるので、広告効果が大きく向上する。特に、ハウジングの上下に照明手段を備えることによって、広告画面の認知度が非常に高くなることになる。【選択図】図２
2008287197.tif 000002
【特許請求の範囲】
【請求項１】
三つの側面に広告構成面を有する三角柱からなり、正三角形で配列される第１乃至第６広告フレームと、
前記広告フレームの各々を偏心軸によって支持し、６０°の間隔で円形に配列される第１乃至第６回転体と、
前記回転体のうち第１、第３、第５回転体を１８０°ずつ正回転と逆回転を反復させ、第２、第４、第６回転体をこれらと反対に１８０°ずつ逆回転と正回転を反復させ、且つ前記回転体の各々の１８０°回転時に、回転体すべてを同時に６０°正回転させることによって、前記広告構成面の組合により完成された広告画面が一つの地点の外部観察者を相手にディスプレイされるようにする回転伝達手段と、
前記回転伝達手段の側方で回転伝達手段を駆動させる駆動ギアを具備した駆動手段、および、
前記広告フレームが３６０°外部に露出される構造で前記構成要素を収容するハウジングと、を含む回転広告装置。
【請求項２】
前記回転伝達手段は、
回転せずに固定された固定ギアと、
前記固定ギアの中心部に回転自在に設置される中心回転軸と、
前記中心回転軸に結合され、前記駆動ギアにより連続して正回転するベースギアと、
前記ベースギアのボディーに中心が固定され、前記固定ギアを中心に１８０°の間隔を置いて設置され、ベースギアの回転時に、固定ギアに噛合して回転する第１遊星ギア及び第２遊星ギアと、
前記第１遊星ギアの中心に第１リンクで連結され、前記ベースギアの回転により６０°ずつ正回転と停止を繰り返す第１中間ギアと、
前記第２遊星ギアの中心に第２リンクで連結され、前記ベースギアの回転により前記第１中間ギアとは交代に６０°ずつ停止と正回転を繰り返す第２中間ギアと、
前記第１中間ギアに噛合され、第１中間ギアの回転と停止および前記ベースギアの回転により前記第１リンクで１８０°ずつ逆回転と正回転を繰り返しながら、前記第１、第３、第５回転体を回転させるように１２０°の間隔で配列される第１、第３、第５回転ギアと、
前記第２中間ギアに噛合され、第２中間ギアの回転と停止および前記ベースギアの回転により前記第２リンクで１８０°ずつ正回転と逆回転を繰り返しながら、前記第２、第４、第６回転体を回転させるように前記第１、第３、第５回転ギアの間ごとに１２０°の間隔で配列される第２、第４、第６回転ギアと、
および前記回転ギアが回転自在に設置されると共に、前記中心回転軸に結合され、前記ベースギアの回転により前記回転ギアの１８０°回転当たり６０°ずつ連続して正回転する回転盤と、を含むことを特徴とする、請求項１に記載の特徴とする、回転広告装置。
【請求項３】
前記第１リンク及び前記第２リンクの各々は、
上下に配置される上部リンク片及び下部リンク片と、
前記上部リンク片の末端部に垂直で上向き形成された上部シャフトと、
前記下部リンク片の末端部に垂直で下向き形成された下部シャフトと、
前記上部リンク片と前記下部リンク片とを連結し、これらの回転中心軸の役目をするピンと、を含むことを特徴とする、請求項２に記載の回転広告装置。
【請求項４】
前記広告フレームの上下に各々広告フレームの広告画面を照明する照明手段が前記ハウジングの内部に設置されることを特徴とする、請求項１又は２に記載の回転広告装置。
【発明の詳細な説明】
【技術分野】
【０００１】
本発明は、広告装置に関し、特に三個ずつの広告構成面を有する三角柱が回転伝達手段により回転することによって、各々の広告構成面が順次に組み合わせられ、多数の完成された広告画面をディスプレイする回転広告装置に関する。
【背景技術】
【０００２】
広告は、商品やサービスなどに関する情報を一般大衆に広く知らせる活動であって、現代資本主義の高度化に伴って広告媒体も非常に多様化している。
【０００３】
現在利用されている数多くの広告媒体のうち、いわゆるトライビジョン（ｔｒｉｖｉｓｉｏｎ）というものは、既存の停止広告看板に比べて、視線注目の効果に優れた回転広告手段としてその活用度がますます増加する傾向にある。
【０００４】
トライビジョンは、三個の広告面を有する三角柱が回転しながら、順に組み合わせられて広告画面をディスプレイする装置であるが、既存の通常的なトライビジョンは、ディスプレイすることができる広告画面の数が三個だけであることに限界がある。その上、従来のトライビジョンは、正方向のようないずれか一方向のみに広告画面をディスプレイする構造となっていて、左右側や後方では広告画面を認識することができないという問題点がある。
【０００５】
したがって、より多い種類の広告画面を可変的に組み合わせてディスプレイすることができると共に、３６０°いずれの方向でも広告画面を認知できる回転広告手段が要求されている。
【特許文献１】大韓民国特許登録第０４５３６７４号明細書
【発明の開示】
【発明が解決しようとする課題】
【０００６】
本発明は、前述したような従来の技術を勘案して案出されたものであって、その目的は、広告画面数を多様に具現することができ、３６０°いずれの方向でも広告画面を認知することができる回転広告装置を提供することにある。
【課題を解決するための手段】
【０００７】
前記目的を達成するための本発明は、三個の側面に広告構成面を有する三角柱からなり、正三角形で配列される第１〜第６広告フレームと、前記広告フレームの各々を偏心軸によって支持し、６０°間隔で円形に配列される第１〜第６回転体と、前記回転体のうち第１、第３、第５回転体を１８０°ずつ正回転と逆回転を反復させ、第２、第４、第６回転体をこれらとは反対に１８０°ずつ逆回転と正回転を反復させ、且つ前記回転体の各々の１８０°回転時に、回転体すべてを同時に６０°正回転させることによって、前記広告構成面の組合によって完成された広告画面が一地点の外部観察者を相手にディスプレイされるようにする回転伝達手段と、前記回転伝達手段の側方で回転伝達手段を駆動させる駆動ギアを具備した駆動手段と、前記広告フレームが３６０°外部に露出する構造で前記構成要素を収容するハウジングと、を含む回転広告装置を開示する。
【０００８】
特に、前記回転伝達手段は、回転せずに固定された固定ギアと、前記固定ギアの中心部に回転自在に設置される中心回転軸と、前記中心回転軸に結合され、前記駆動ギアにより連続して正回転するベースギアと、前記ベースギアのボディーに中心が固定され、前記固定ギアを中心に１８０°の間隔を置いて設置されたベースギアの回転時に、固定ギアに噛合されて回転する第１遊星ギアおよび第２遊星ギアと、前記第１遊星ギアの中心に第１リンクで連結され、前記ベースギアの回転により６０°ずつ正回転と停止を繰り返す第１中間ギアと、前記第２遊星ギアの中心に第２リンクで連結され、前記ベースギアの回転により前記第１中間ギアとは交代に６０°ずつ停止と正回転を繰り返す第２中間ギアと、前記第１中間ギアに噛合され、第１中間ギアの回転と停止、前記ベースギアの回転によって前記第１リンクにより１８０°ずつ逆回転と正回転を繰り返しながら、前記第１、第３、第５回転体を回転させるように１２０°の間隔で配列される第１、第３、第５回転ギアと、前記第２中間ギアに噛合され、第２中間ギアの回転と停止、前記ベースギアの回転によって前記第２リンクにより１８０°ずつ正回転と逆回転を繰り返しながら、前記第２、第４、第６回転体回転体を回転させるように前記第１、第３、第５回転ギアの間ごとに１２０°の間隔で配列される第２、第４、第６回転ギアと、前記回転ギアが回転自在に設置されると共に、前記中心回転軸に結合され、前記ベースギアの回転によって前記回転ギアの１８０°回転当たり６０°ずつ連続して正回転する回転盤と、を含むことができる。
【０００９】
また、前記第１リンク及び前記第２リンクの各々は、上、下に配置された上部リンク片及び下部リンク片と、前記上部リンク片の末端部に垂直で上向き形成された上部シャフトと、前記上部リンク片と前記下部リンク片とを連結し、これらの回転中心軸の役目をするピンと、を含むことができる。
【００１０】
また、前記広告フレームの上下に各々の広告フレームの広告画面を照明する照明手段が前記ハウジングの内部に設置されることができる。
【発明の効果】
【００１１】
以上の説明から分かるように、本発明に係る回転広告装置は、３６０°全周で広告画面を認知できるハウジングを備えており、その内部で回転する六つの広告フレームにより多様な種類の広告画面を組み合わせながらディスプレイする。
【００１２】
したがって、本発明は、従来のトライビジョンに代表される回転広告装置に比べて３６０°いずれの方向でも広告画面を認知できるので、広告効果が大きく向上するという長所がある。特に本発明のハウジングの上下に照明手段が備えられることによって、広告画面の認知度が極めて高くなる。
【００１３】
また、本発明は、六個の広告フレームが回転しながら広告画面を多様に組み合わせてディスプレイするようになるので、一つの広告装置で様々な種類の広告を具現することができるので、装置の効率性が向上するという効果がある。
【発明を実施するための最良の形態】
【００１４】
以下、添付の図面を参照して、本発明の好ましい実施例を詳細に説明する。しかし、以下の実施例は、この技術分野における通常の知識を有する者が本発明を十分に理解することができるように提供されるものであって、様々な他の形態で変形されることができ、本発明の範囲が後述する実施例に限定されるわけではない。
【実施例】
【００１５】
図１は、本発明に係る回転広告装置の実施例を示す縦断面図であり、図２は、図１のＡ−Ａ線断面図である。また、図３は、図１の実施例に開示された回転伝達手段と駆動手段を示す分離斜視図であり、図４は、図３の回転伝達手段に対する組立状態の斜視図である。
【００１６】
前記図面に示されたように、本実施例に係る回転広告装置は、第１〜第６広告フレーム１０、２０、３０、４０、５０、６０と、第１〜第６回転体７０、８０、９０、１００、１１０、１２０と、回転伝達手段１３０と、駆動手段１４０と、これらを収容するハウジング１５０とを構成要素として含む。具体的に説明すれば、次の通りである。
【００１７】
まず、広告フレーム１０、２０、３０、４０、５０、６０各々は、全て同じ大きさの三角柱の構造になっている。そして、各広告フレーム１０、２０、３０、４０、５０、６０の三つの側面は、広告の一部分を構成する広告構成面として機能する。例えば、この広告構成面に広告印刷物が付着されたり挿入される構造で設置される。
このような広告フレーム１０、２０、３０、４０、５０、６０は、各々前記回転体７０、８０、９０、１００、１１０、１２０の偏心軸７１、８１、９１、１０１、１１１、１２１に結合されることによって、図２のように六個の広告フレーム１０、２０、３０、４０、５０、６０が正三角形で配列された構造を有する。
【００１８】
第１〜第６回転体７０、８０、９０、１００、１１０、１２０は、それら各々が第１〜第６広告フレーム１０、２０、３０、４０、５０、６０に配設され、これらを支持し、各回転体７０、８０、９０、１００、１１０、１２０の中央には、回転中心軸７２、８２、９２、１０２、１１２、１２２が設けられていて、回転することができるようになる。
そして、回転体７０、８０、９０、１００、１１０、１２０の一方の端部には、回転中心軸７２、８２、９２、１０２、１１２、１２２から離隔された偏心軸７１、８１、９１、１０１、１１１、１２１が備えられていて、これらの偏心軸７１、８１、９１、１０１、１１１、１２１に広告フレーム１０、２０、３０、４０、５０、６０の一方の面が結合される。
【００１９】
前記回転伝達手段１３０は、前述のような第１〜第６回転体７０、８０、９０、１００、１１０、１２０を回転させ、前記駆動手段１４０は、例えば、モーター１４１と駆動ギア１４２とから構成され、回転伝達手段１３０の側方で回転伝達手段１３０を駆動する。これらについては、後述する。
【００２０】
ハウジング１５０は、上部ハウジング１５１と、ディスプレイ窓１５２および下部ハウジング１５３に分けられており、前述した構成要素がすべて内蔵されている。特に、回転伝達手段１３０の中央上端部（後述する中心回転軸）から上部ハウジング１５１の中央上端部に延びた支持軸１６０がハウジング１５０の中央部に備えられ、広告フレーム１０、２０、３０、４０、５０、６０の回転を支持する。
この時、上部ハウジング１５１にベアリング１５１ａが備えられ、支持軸１６０の上端部を回転自在に支持する。
そしてディスプレイ窓１５２は、広告フレーム１０、２０、３０、４０、５０、６０を収容する部分であって、広告フレーム１０、２０、３０、４０、５０、６０の広告構成面が外部に露出されてディスプレイされ得るように、アクリルやガラスのような透明な材質からなり、その外形は、広告画面の認識が容易となるように円筒形からなることが好ましい。
また、下部ハウジング１５３は、回転伝達手段１３０と駆動手段１４０が配設される部分であって、その下端部には、本発明を一定の場所に配置する場合、安定した状態を維持するための防塵ゴム１５３ａが備えられることが好ましい。
【００２１】
一方、以下では、前述した駆動手段１４０と回転伝達手段１３０の構成について前記図面を参照しながら具体的に記述する。
【００２２】
まず、駆動手段１４０は、回転駆動力を発生させるモーター１４１と、このモーター１４１によって回転する駆動ギア１４２とから構成され、回転伝達手段１３０の側方に配置される。そして、回転伝達手段１３０は、固定ギア１３１と、ベースギア１３２と、第１遊星ギア１３３および第２遊星ギア１３４と、第１リンク１３５及び第２リンク１３６と、第１中間ギア１３７および第２中間ギア１３８と、第１〜第６回転ギア１３９ａ、１３９ｂ、１３９ｃ、１３９ｄ、１３９ｅ、１３９ｆ等で構成されていて、各々の具体的な構成は、次の通りである。
【００２３】
固定ギア１３１は、下部ハウジング１５３内部の底面に配設されるベースパネル１７０に固定されていて、回転は不可能になっている。この固定ギア１３１の内部の中央にベアリングが装着された状態で中心回転軸１８０が回転できるように設置されている。
【００２４】
ベースギア１３２は、固定ギア１３１の上側で中心回転軸１８０に結合された状態で設置されており、駆動手段１４０の駆動ギア１４２と噛合されていて、駆動ギア１４２により３６０°連続して回転することができるようになる。以下では、ベースギア１３２の回転方向による回転を正回転といい、その反対方向の回転を逆回転ということにする。
【００２５】
ベースギア１３２のボディーには、歯形成付近に１８０°間隔を置いて一対の軸孔１３２ａが形成されている。これら軸孔１３２ａを中心にベースギア１３２の上部には、第１リンク１３５と第２リンク１３６が配置される。
そして、ベースギア１３２の下部には、固定ギア１３１に対して３：１のギア比を有する第１遊星ギア１３３と第２遊星ギア１３４が配置される。
第１リンク１３５は、上部リンク片１３５ａ及び下部リンク片１３５ｂと、上部リンク片１３５ａの末端部に垂直で上向き形成された上部シャフト１３５ｃと、下部リンク片１３５ｂの末端部に垂直で下向き形成された下部シャフト１３５ｄと、上部リンク片１３５ａと下部リンク片１３５ｂとを連結し、これらの回転中心軸の役目をするピン１３５ｅとから構成されている。
第２リンク１３６も、第１リンク１３５と同様に、上部リンク片１３６ａ及び下部リンク片１３６ｂと、上部リンク片１３６ａの末端部に垂直で上向き形成された上部シャフト１３６ｃと、下部リンク片１３６ｂの末端部に垂直で下向き形成された下部シャフト１３６ｄと、上部リンク片１３６ａ及び下部リンク片１３６ｂとを連結し、これらの回転中心軸の役目をするピン１３６ｅとから構成されている。
第１リンク１３５及び第２リンク１３６の下部シャフト１３５ｄ、１３６ｄは、ベースギア１３２の軸孔１３２ａを各々貫通して、第１遊星ギア１３３および第２遊星ギア１３４と結合される。
これにより、ベースギア１３２の回転時に、第１遊星ギア１３３及び第２遊星ギア１３４が固定ギア１３１に噛合されて連続して３６０°回転すると同時に、第１リンク１３５及び第２リンク１３６の下部シャフト１３５ｄ、１３６ｄに連結された下部リンク片１３５ｂ、１３６ｂも連続して３６０°回転することになる。
この時、第１リンク１３５の下部リンク片１３５ｂと第２リンク１３６の下部リンク片１３６ｂは、同じ角度で回転することになる。
【００２６】
第１リンク１３５の上部シャフト１３５ｃは、その上側の第１中間ギア１３７のボディーで歯形成付近に固定され、第２リンク１３６の上部シャフト１３６ｃもやはりその上側の第２中間ギア１３８のボディーで歯形成付近に固定される。
特に第１中間ギア１３７のボディーには、第１中間ギア１３７の円弧と同じ形態のスロット１３７ａが形成されていて、第２リンク１３６の上部シャフト１３６ｃがこのスロット１３７ａを貫通し、第２中間ギア１３８のボディーに固定される。
第１中間ギア１３７のスロット１３７ａは、第２リンク１３６の回転により上部シャフト１３６ｃが移動する長さと符合するように、第１中間ギア１３７の中心を基準として１２０°以上の範囲で形成される。
各々の上部シャフト１３５ｃ、１３６ｃは、下部シャフト１３５ｄ、１３６ｄの回転によりピン１３５ｅ、１３６ｅを中心に回転運動しながら第１中間ギア１３７と第２中間ギア１３８を各々６０°ずつ正回転と停止を反復させる。
特に第１リンク１３５と第２リンク１３６とが互いに１８０°の間隔で離隔されていて、これらの下部リンク片１３５ｂ、１３６ｂが互いに同じ角度で回転しながら上部リンク片１３５ａ、１３６ａを回転させるので、第１中間ギア１３７及び第２中間ギア１３８のいずれか一つは、６０°正回転し、他の一つは、停止し、さらに前者は停止し、後者は、６０°正回転することを交代に繰り返すことになる。
【００２７】
第１中間ギア１３７には、第１、第３、第５回転ギア１３９ａ、１３９ｃ、１３９ｅが各々１２０°の間隔で噛合されている。
第２中間ギア１３８には、第２、第４、第６回転ギア１３９ｂ、１３９ｄ、１３９ｆが第１、第３、第５回転ギア１３９ａ、１３９ｃ、１３９ｅの間の位置で各々１２０°の間隔で噛合されている。
したがって、第１〜第６回転ギア１３９ａ、１３９ｂ、１３９ｃ、１３９ｄ、１３９ｅ、１３９ｆは、互いに６０°間隔の配列の構造を有する。
特に第１中間ギア１３７と第２中間ギア１３８に対する第１〜第６回転ギア１３９ａ、１３９ｂ、１３９ｃ、１３９ｄ、１３９ｅ、１３９ｆのギア比は、３：１で形成されている。
【００２８】
回転盤１９０は、固定ギア１３１に設置された中心回転軸１８０に結合され、３６０°回転することができるようになり、この回転盤１９０には、中心回転軸１８０を中心に６０°の間隔で第１〜第６回転体７０、８０、９０、１００、１１０、１２０が搭載される。
特に、これら回転体７０、８０、９０、１００、１１０、１２０は、その下部に備えられた回転中心軸７２、８２、９２、１０２、１１０、１２２が回転盤１９０を貫通して第１〜第６回転ギア１３９ａ、１３９ｂ、１３９ｃ、１３９ｄ、１３９ｅ、１３９ｆに各々結合されることによって、第１〜第６回転ギア１３９ａ、１３９ｂ、１３９ｃ、１３９ｄ、１３９ｅ、１３９ｆと共に回転することになる。
そして、第１〜第６回転体１３９ａ、１３９ｂ、１３９ｃ、１３９ｄ、１３９ｅ、１３９ｆの上端部には、円弧の端部に偏心された偏心軸７１、８１、９１、１０１、１１１、１２１が備えられていて、これらの偏心軸７１、８１、９１、１０１、１１１、１２１に各広告フレーム１０、２０、３０、４０、５０、６０の一方の側面が固定される。
【００２９】
前述のように構成された回転伝達手段１３０は、次のように作動する。
【００３０】
固定ギア１３１に回転自在に装着された中心回転軸１８０にベースギア１３２が結合された状態で駆動手段１４０の駆動ギア１４２が回転駆動すると、ベースギア１３２が正回転をすることになる。
【００３１】
そして、ベースギア１３２の下側で第１リンク１３５および第２リンク１３６の下部シャフト１３５ｄに結合されている第１遊星ギア１３３と第２遊星ギア１３４が固定ギア１３１に噛合して回転することになる。また、これらの第１遊星ギア１３３と第２遊星ギア１３４の回転により第１リンク１３５と第２リンク１３６の下部リンク片１３５ｂ、１３６ｂが共に回転する。
これにより、下部リンク片１３５ｂ、１３６ｂのピン１３５ｅ、１３６ｅを回転軸にして連結された上部リンク片１３５ａ、１３６ａは、図５から分かるように、あたかも臼をひくような形態で回転しながら、第１中間ギア１３７と第２中間ギア１３８が交代に６０°ずつ正回転と停止を繰り返すようにする。
すなわち図５は、ベースギア１３２とこれに連動する回転盤１９０が６０°ずつ回転する時毎に変化する第１リンク１３５と第２リンク１３６各々の上部リンク片１３５ａ、１３６ａと下部リンク片１３５ｂ、１３６ｂの位相と、そしてこれによる第１中間ギア１３７、第２中間ギア１３８と回転体（図面には第１回転体７０のみ例示されている）の回転角の変化を順に示している。
図５を参照すれば、回転盤１９０とその上の回転体７０は、６０°および１８０°ずつ引き続いて回転している状態で、第１中間ギア１３７と第２中間ギア１３８は、第１リンク１３５と第２リンク１３６の動きによって交代に６０°ずつ正回転と停止を繰り返すことになる。
【００３２】
第１中間ギア１３７および第２中間ギア１３８に対する第１〜第６回転ギア１３９ａ、１３９ｂ、１３９ｃ、１３９ｄ、１３９ｅ、１３９ｆのギア比は、各々３：１となっているので、第１中間ギア１３７が一回ずつ６０°正回転する時毎に、第１、第３、第５回転ギア１３９ａ、１３９ｃ、１３９ｅは、１８０°逆回転する。
また、第１中間ギア１３７が停止した状態では、中心回転軸１８０に結合されている回転盤１９０がベースギア１３２と同じく回転ギア１３９ａ、１３９ｂ、１３９ｃ、１３９ｄ、１３９ｅ、１３９ｆの配置間隔である６０°ずつ正回転しているので、回転盤１９０に設置されている第１、第３、第５回転ギア１３９ａ、１３９ｃ、１３９ｅもやはり停止している第１中間ギア１３７の歯と噛合された状態で１８０°正回転することになる。
これと同様に、第２中間ギア１３８が一回ずつ６０°正回転する時毎に、第２、第４、第６回転ギア１３９ｂ、１３９ｄ、１３９ｆは、１８０°逆回転する。また、第２中間ギア１３８が停止した状態では、中心回転軸１８０に結合されている回転盤１９０がベースギア１３２と同じく回転ギア１３９ａ、１３９ｂ、１３９ｃ、１３９ｄ、１３９ｅ、１３９ｆの配置間隔である６０°ずつ正回転しているので、回転盤１９０に設置されている第２、第４、第６回転ギア１３９ｂ、１３９ｄ、１３９ｆも、停止している第２中間ギア１３８の歯と噛合された状態で１８０°正回転することになる。
【００３３】
このように、第１〜第６回転ギア１３９ａ、１３９ｂ、１３９ｃ、１３９ｄ、１３９ｅ、１３９ｆが１８０°ずつ回転する場合、これと同時に、中心回転軸１８０を中心に回転盤１９０が６０°ずつ回転しているので、一つの地点の外部観察者の立場では、第１〜第６回転ギア１３９ａ、１３９ｂ、１３９ｃ、１３９ｄ、１３９ｅ、１３９ｆが一回に２４０°ずつ回転するものと観測される。
したがって、回転盤１９０が３６０°一回転する時毎に、第１〜第６回転ギア１３９ａ、１３９ｂ、１３９ｃ、１３９ｄ、１３９ｅ、１３９ｆの偏心軸７１、８１、９１、１０１、１１１、１２１に各々設置されている広告フレーム１０、２０、３０、４０、５０、６０の広告構成面が互いに組み合わせられてトータル６つの広告画面が一つの地点の外部観察者にディスプレイされる。
このような広告画面のディスプレイについては、具体的に記述すれば、次の通りである。
【００３４】
図６は、図１の実施例の作動による広告画面の変化を順に示す図である。図６と共に前述した図面をも参照しながら広告画面のディスプレイについて説明する。
前述したように、三角柱の形態からなるトータル６つの広告フレーム１０、２０、３０、４０、５０、６０が各々第１〜第６回転体７０、８０、９０、１００、１１０、１２０に結合され、これらの回転体７０、８０、９０、１００、１１０、１２０の回転中心軸７２、８２、９２、１０２、１１２、１２２が各々第１〜第６回転ギア１３９ａ、１３９ｂ、１３９ｃ、１３９ｄ、１３９ｅ、１３９ｆと結合された状態で、広告フレーム１０、２０、３０、４０、５０、６０が回転盤１９０の上に正三角形で配列されている。
以下では、第１〜第６回転体７０、８０、９０、１００、１１０、１２０に対応する六個の広告フレーム１０、２０、３０、４０、５０、６０を各々第１、２、３、４、５、６広告フレーム１０、２０、３０、４０、５０、６０と称する。
【００３５】
駆動ギア１４２の駆動によってベースギア（１３２）が回転すれば、第１、第２リンク１３５、１３６と第１、第２中間ギア１３７、１３８および第１〜第６回転ギア１３９ａ、１３９ｂ、１３９ｃ、１３９ｄ、１３９ｅ、１３９ｆが連動して、第１〜第６広告フレーム１０、２０、３０、４０、５０、６０が結合された第１〜第６回転体７０、８０、９０、１００、１１０、１２０を回転させる。
【００３６】
まず、図６の（Ａ）状態でベースギア１３２が６０°正回転すれば、ベースギア１３２に第１リンク１３５で連結された第１中間ギア１３７が６０°正回転する。
そして、第１中間ギア１３７に噛合している第１、第３、第５回転ギア１３９ａ、１３９ｃ、１３９ｅが各々１８０°逆回転する。これは、第１中間ギア１３７と第１、第３、第５回転ギア１３９ａ、１３９ｃ、１３９ｅのギア比が３：１であるからである。
そして、第１、第３、第５回転ギア１３９ａ、１３９ｃ、１３９ｅに連結された第１、第３、第５広告フレーム１０、３０、５０が各々１８０°逆回転する。
これと同時に、ベースギア１３２に第２リンク１３６で連結された第２中間ギア１３８は、第２リンク１３６が第１リンク１３５と１８０°対称された状態で、図５のように回転するので、停止状態にあり、第２中間ギア１３８に噛合している第２、第４、第６回転ギア１３９ｂ、１３９ｄ、１３９ｆは、第２中間ギア１３８と３：１のギア比で噛合されている状態でベースギア１３２の６０°正回転により各々１８０°正回転し、第２、第４、第６回転ギア１３９ｂ、１３９ｄ、１３９ｆに連結されている第２、第４、第６広告フレーム２０、４０、６０も各々１８０°正回転する。
この時、ベースギア１３２自体も６０°正回転するので、一つの地点の外部観察者が見た時、図６の（Ｂ）状態のように、第１〜第６広告フレーム１０、２０、３０、４０、５０、６０がトータル２４０°回転したことになり、第１広告フレーム１０は、第２広告フレーム２０の位置に移動し、第２広告フレーム２０は、第３広告フレーム３０の位置に移動し、第３広告フレーム３０は、第４広告フレーム４０の位置に移動した状態となる。
残りの第４、第５、第６広告フレーム４０、５０、６０も、このような形式で移動する状態になる。
したがって、最初に図６の（Ａ）状態で第１、第２、第３広告フレーム１０、２０、３０の広告構成面ｂ、ｅ、ｈで組み合わせられた広告画面は、図６の（Ｂ）状態では、第６、第１、第２広告フレーム６０、１０、２０の広告構成面ｒ、ｃ、ｆで組み合わせられた広告画面に代替されてディスプレイされる。同様に、第３、第４、第５広告フレーム３０、４０、５０の広告構成面ｉ、ｌ、ｏで組み合わせられた広告画面は、第２、第３、第４広告フレーム２０、３０、４０の広告構成面ｄ、ｇ、ｊで組み合わせられた広告画面に代替される。
また、第５、第６、第１広告フレーム５０、６０、１０の広告構成面ｍ、ｐ、ａで組み合わせられた広告画面は、第４、第５、第６広告フレーム４０、５０、６０の広告構成面ｋ、ｎ、ｑで組み合わせられた広告画面に代替される。
【００３７】
続いて、図６の（Ｂ）状態からベースギア１３２が６０°をさらに正回転すれば（すなわちトータル１２０°回転状態になれば）、ベースギア１３２の第１リンク１３５により第１中間ギア１３７は停止状態になり、第１中間ギア１３７に噛合している第１、第３、第５回転ギア１３９ａ、１３９ｃ、１３９ｅは、ベースギア１３２の６０°正回転により正回転するものの、その回転角度は、第１中間ギア１３７とのギア比が３：１であるから、１８０°となる。
そして、第１、第３、第５回転ギア１３９ａ、１３９ｃ、１３９ｅに連結された第１、第３、第５広告フレーム１０、３０、５０も各々１８０°正回転する。これと同時に、ベースギア１３２に第２リンク１３６で連結された第２中間ギア１３８は、第２リンク１３６が第１リンク１３５と１８０°対称された状態で図５のように回転するので、６０°正回転する。
そして、第２中間ギア１３８に噛合している第２、第４、第６回転ギア１３９ｂ、１３９ｄ、１３９ｆがそれぞれ１８０°逆回転する。これは、第２中間ギア１３８と第２、第４、第６回転ギア１３９ｂ、１３９ｄ、１３９ｆのギア比が３：１であるからである。
この時、ベースギア１３２自体も６０°正回転するので、一つの地点の外部観察者が見た時、図６の（Ｃ）状態で第１〜第６広告フレーム１０、２０、３０、４０、５０、６０がトータル２４０°回転したことになり、第１広告フレーム１０は、第２広告フレーム２０の位置に移動し、第２広告フレーム２０は、第３広告フレーム３０の位置に移動し、第３広告フレーム３０は、第４広告フレーム（４０）の位置に移動する。残りの第４、第５、第６広告フレーム４０、５０、６０もこのような方式で移動する。
【００３８】
したがって、前述した図６の（Ｂ）状態で、第６、第１、第２広告フレーム６０、１０、２０の広告構成面ｒ、ｃ、ｆで組み合わせられた広告画面は、図６の（Ｃ）状態で第５、第６、第１広告フレーム５０、６０、１０の広告構成面ｏ、ｐ、ａで組み合わせられた広告画面に代替されてディスプレイされる。
同様に、第２、第３、第４広告フレーム２０、３０、４０の広告構成面ｄ、ｇ、ｊで組み合わせられた広告画面は、第１、第２、第３広告フレーム１０、２０、３０の広告構成面ｂ、ｅ、ｈで組み合わせられた広告画面に代替される。
また、第４、第５、第６広告フレーム４０、５０、６０の広告構成面ｋ、ｎ、ｑで組み合わせられた広告画面は、第３、第４、第５広告フレーム３０、４０、５０の広告構成面ｉ、ｌ、ｍで組み合わせられた広告画面に代替される。
【００３９】
これと同じ方式で、ベースギア１３２が１８０°、２４０°、３００°回転した場合、ディスプレイされる広告フレーム１０、２０、３０、４０、５０、６０の広告画面は、図６の（Ｄ）、（Ｅ）、（Ｆ）のように変化する。
【００４０】
つまり、ベースギア１３２が６０°ずつ正回転する時毎に、第１、第３、第５回転ギア１３９ａ、１３９ｃ、１３９ｅと第２、第４、第６回転ギア１３９ｂ、１３９ｄ、１３９ｆとが互いに反対方向に１８０°ずつ正回転と逆回転を繰り返し、これよりベースギア１３２の回転角度６０°を勘案すれば、一つの方向で広告フレームを見た時、図６の（Ａ）、（Ｂ）、（Ｃ）、（Ｄ）、（Ｅ）、（Ｆ）のように全て６種類の広告画面がディスプレイされる。
【００４１】
一方、前述した構成に付加して図１に例示されたように、ハウジング１５０の内部には、広告フレーム１０、２０、３０、４０、５０、６０の広告画面を照明するための照明手段１５１ｂ、１５２ａが装着されることができる。
特に、照明手段１５１ｂ、１５２ａは、広告フレーム１０、２０、３０、４０、５０、６０の上側及び下側で各々照明することができるように、上部ハウジング１５１の内側の上端から広告フレーム１０、２０、３０、４０、５０、６０に向かって照明する上部照明手段１５１ｂと、ディスプレイ窓１５２の内側の下端から広告フレーム１０、２０、３０、４０、５０、６０に向かって照明する下部照明手段１５２ａとから構成されることが好ましい。
上部照明手段１５１ｂ及び下部照明手段１５２ａは、例えば、発光ダイオードＬＥＤで構成されることができ、広告フレーム１０、２０、３０、４０、５０、６０の配列角度に合わせて複数個が一定の角度で設置されることが好ましい。
【００４２】
参考として、下部ハウジング１５３には、本発明の装置を制御するための印刷回路基板２００とスイッチ２１０が設けられており、これは、通常的な構成に過ぎないので、これについての詳細な説明は省略する。
【００４３】
以上では、本発明を好ましい実施例に基づいて説明したが、本発明は、前記実施例に限定されるものではなく、本発明の技術的思想の範囲内でこの技術分野においての通常の知識を有する者によって様々変形が可能である。
【図面の簡単な説明】
【００４４】
【図１】本発明に係る回転広告装置の実施例を示す縱断面図である。
【図２】図１のＡ−Ａ線に沿う断面図である。
【図３】図１の実施例に開示された回転伝達手段を示す分離斜視図である。
【図４】図３の回転伝達手段と駆動手段を示す組立状態の斜視図である。
【図５】図４の回転伝達手段において第１リンクと第２リンクの作動を示す図である。
【図６】図１の実施例の作動による広告画面の変化を示す図である。
【符号の説明】
【００４５】
１０、２０、３０、４０、５０、６０        広告フレーム
７０、８０、９０、１００、１１０、１２０  第１〜第６回転体
７１、８１、９１、１０１、１１１、１２１  偏心軸
７２、８２、９２、１０２、１１２、１２２  回転中心軸
１３０    回転伝達手段
１３１    固定ギア
１３２    ベースギア
１３２ａ  軸孔
１３３    第１遊星ギア
１３４    第２遊星ギア
１３５    第１リンク
１３５ａ、１３６ａ  上部リンク片
１３５ｂ、１３６ｂ  下部リンク片
１３５ｃ、１３６ｃ  上部シャフト
１３５ｄ、１３６ｄ  下部シャフト
１３５ｅ、１３６ｅ  ピン
１３６    第２リンク
１３７    第１中間ギア
１３７ａ  スロット
１３８    第２中間ギア
１３９ａ、１３９ｂ、１３９ｃ、１３９ｄ、１３９ｅ、１３９ｆ  第１〜第６回転ギア
１４０    駆動手段
１４１    モーター
１４２    駆動ギア
１５０    ハウジング
１５１    上部ハウジング
１５１ａ  ベアリング
１５１ｂ  上部照明手段
１５２    ディスプレイ窓
１５２ａ  下部照明手段
１５３    下部ハウジング
１５３ａ  防塵ゴム
１６０    支持軸
１７０    ベースパネル
１８０    中心回転軸
１９０    回転盤
２００    印刷回路基板
２１０    スイッチ
【図１】
2008287197.tif 000003
【図２】
2008287197.tif 000004
【図３】
2008287197.tif 000005
【図４】
2008287197.tif 000006
【図５】
2008287197.tif 000007
【図６】
2008287197.tif 000008